(57)【要約】  特に圧力選別機のスクリーン装置によって繊維材料懸濁液（Ｓ）を選別するための方法である。前記スクリーン装置には、ケーシング内に装着された、スクリーン室（５）を取り囲む少なくとも１つのスクリーンバスケット（１）が設けられている。スクリーン室（５）内に案内された繊維材料懸濁液（Ｓ）の一部がスクリーン開口を通過し、アクセプト（Ａ）としてアクセプト室（３）に到り、繊維材料懸濁液（Ｓ）のその他の部分をリジェクトとしてスクリーン開口で退ける。この場合、特に有利には、前記リジェクトの一部を、リジェクト戻り流（Ｒ´´）としてスクリーン室（５）に戻し、再度スクリーン開口の領域に至らしめる。さらに有利な構成として、特に周方向で見た流れ速度を均等にするための措置が提案される。
2013515868.tif 000002
【特許請求の範囲】
【請求項１】
スクリーン装置によって繊維材料懸濁液（Ｓ）を選別するための方法であって、前記スクリーン装置には、ケーシング内に装着された、スクリーン室（５）を取り囲む少なくとも１つのスクリーンバスケット（１）が設けられており、スクリーンバスケットには多数のスクリーン開口が設けられており、該スクリーン開口を、スクリーン室（５）内に案内された繊維材料懸濁液（Ｓ）の一部が通過し、アクセプト（Ａ）としてアクセプト室（３）に到り、これをスクリーン装置から導出し、繊維材料懸濁液（Ｓ）のその他の部分をスクリーン開口で退け、少なくとも部分的にリジェクト（Ｒ，Ｒ´）としてスクリーン装置から排出する形式のものにおいて、
前記リジェクトの一部を、リジェクト戻り流（Ｒ´´）としてスクリーン室（５）に戻すことを特徴とする、スクリーン装置によって繊維材料懸濁液（Ｓ）を選別するための方法。
【請求項２】
スクリーン室（５）内に少なくとも１つのスクリーンクリーナが配置されており、該スクリーンクリーナは、クリーニング部材（１２）を有した駆動される回転体（１１）を有しており、リジェクト（Ｒ，Ｒ´，Ｒ´´）の一部を回転体（１１）の内側で、機械的なコンベヤによって、特に、回転体（１１）に結合された軸方向コンベヤによってスクリーン室（５）内に戻す、請求項１記載の方法。
【請求項３】
スクリーンバスケット（１）で退けられたリジェクト（Ｒ，Ｒ´，Ｒ´´）をスクリーン装置で少なくとも部分的に再度、離解する、請求項１又は２記載の方法。
【請求項４】
リジェクト（Ｒ，Ｒ´，Ｒ´´）の少なくとも一部に希釈水を供給する、請求項１から３までのいずれか１項記載の方法。
【請求項５】
リジェクト（Ｒ´，Ｒ´´）の少なくとも一部に、特に、スクリーン室（５）に戻された部分に、別の分離プロセスから生じた別のリジェクト（Ｒ´´´）を供給する、請求項１から４までのいずれか１項記載の方法。
【請求項６】
スクリーン装置によって繊維材料懸濁液（Ｓ）を選別するための方法であって、前記スクリーン装置には、ケーシング内に装着された、スクリーン室（５）を取り囲む少なくとも１つのスクリーンバスケット（１）が設けられており、スクリーンバスケットには多数のスクリーン開口が設けられており、該スクリーン開口を、スクリーン室（５）内に案内された繊維材料懸濁液（Ｓ）の一部が通過し、アクセプト（Ａ）としてアクセプト室（３）に到り、これをスクリーン装置から導出し、繊維材料懸濁液（Ｓ）のその他の部分をスクリーン開口で退け、少なくとも部分的にリジェクト（Ｒ，Ｒ´）としてスクリーン装置から排出する、特に請求項１から５までのいずれか１項記載の方法において、
繊維材料懸濁液（Ｓ）を全周にわたって均一に分配してスクリーン室（５）へと供給することを特徴とする、スクリーン装置によって繊維材料懸濁液（Ｓ）を選別するための方法。
【請求項７】
スクリーン装置によって繊維材料懸濁液（Ｓ）を選別するための方法であって、前記スクリーン装置には、ケーシング内に装着された、スクリーン室（５）を取り囲む少なくとも１つのスクリーンバスケット（１）が設けられており、スクリーンバスケットには多数のスクリーン開口が設けられており、該スクリーン開口を、スクリーン室（５）内に案内された繊維材料懸濁液（Ｓ）の一部が通過し、アクセプト（Ａ）としてアクセプト室（３）に到り、これをスクリーン装置から導出し、繊維材料懸濁液（Ｓ）のその他の部分をスクリーン開口で退け、少なくとも部分的にリジェクト（Ｒ，Ｒ´）としてスクリーン装置から排出する、特に請求項１から６までのいずれか１項記載の方法において、
アクセプト（Ａ）を全周にわたって均一に分配してアクセプト室（３）から排出することを特徴とする、スクリーン装置によって繊維材料懸濁液（Ｓ）を選別するための方法。
【請求項８】
流れを均一に分配するために、全周にわたって延在している少なくとも１つの狭隘部を通して、特に少なくとも１つの絞りギャップ（６，６´，９）を通して案内し、前記狭隘部における流れ速度を、スクリーンバスケット（１）のスクリーン開口における平均流れ速度に、±５０％の許容誤差をもって相当するように調節する、請求項６又は７記載の方法。
【請求項９】
繊維材料懸濁液（Ｓ）を下方から供給し、リジェクト（Ｒ，Ｒ´）を上方から排出する直立型圧力選別機を使用する、請求項１から８までのいずれか１項記載の方法。
【請求項１０】
特に請求項１から９までのいずれか１項記載の方法を実施するためのスクリーン装置であって、ケーシング内に装着された、スクリーン室（５）を取り囲む少なくとも１つのスクリーンバスケット（１）を有しており、該スクリーンバスケットには多数のスクリーン開口が設けられており、入口（８）から入口室（４，４´）に到り次いでスクリーン室（５）へと案内される繊維材料懸濁液（Ｓ）の一部が、前記スクリーン開口を通過して、半径方向でさらに外側に位置するアクセプト室（３）へと到ることができ、アクセプト室は、少なくとも１つのアクセプト出口（１０）と液圧的に接続されており、スクリーン開口で退けられた繊維材料懸濁液（Ｓ）の部分のために少なくとも１つのリジェクト出口（１６）が設けられており、スクリーン室（５）内には少なくとも１つのスクリーンクリーナが配置されており、該スクリーンクリーナは、クリーニング部材（１２）を備えた駆動される回転体（１１）を有している形式のものにおいて、
スクリーン装置が少なくとも１つの液圧的な接続部を有しており、該接続部によって、スクリーンバスケット（１）で退けられたリジェクト（Ｒ）の一部を入口室（４，４´）に戻すことができることを特徴とする、請求項１から９までのいずれか１項記載の方法を実施するための装置。
【請求項１１】
入口室（４，４´）が重量部分出口（１３）に接続されている、請求項１０記載のスクリーン装置。
【請求項１２】
リジェクト出口（１６）がスクリーンバスケット（１）の上方に配置されている、請求項１０又は１１記載のスクリーン装置。
【請求項１３】
リジェクト出口（１６）が前記入口（８）の上方に配置されている、請求項１０から１２までのいずれか１項記載のスクリーン装置。
【請求項１４】
スクリーン室（５）とリジェクト室（１５）との間に、少なくとも１とのロータリング（２４、２４´）と少なくとも１つのステータリング（２５，２５´）とを備えた離解区域（２０）が配置されており、ロータリングとステータリングとの間で、リジェクト（Ｒ，Ｒ´，Ｒ´´）をさらに処理することができ、特にさらに離解することができる、請求項１０から１３までのいずれか１項記載のスクリーン装置。
【請求項１５】
ロータリング（２４，２４´）とステータリング（２５，２５´）との間にポケット（２６，２７）が設けられている、請求項１４記載のスクリーン装置。
【請求項１６】
ロータリング（２４，２４´）とステータリング（２５，２５´）とが分離可能であって、特にねじによって固定されている、請求項１４又は１５記載のスクリーン装置。
【請求項１７】
回転体（１１）に軸方向コンベヤ、特にスクリュー螺旋（３０）が設けられている、請求項１０から１６までのいずれか１項記載のスクリーン装置。
【請求項１８】
回転体（１１）とスクリーンバスケット（１）との間に位置する、スクリーン室（５）の部分の横断面が軸方向で小さくなっており、アクセプト室（３）が同じ方向で拡大されている、請求項１０から１７までのいずれか１項記載のスクリーン装置。
【請求項１９】
スクリーン室（５）及びアクセプト室（３）の横断面の変化が、対応する壁の同方向に円錐状の形状によりもたらされる、請求項１８記載のスクリーン装置。
【請求項２０】
入口室（４，４´）とスクリーン室（５）との間に、及び／又はアクセプト室（３）と該アクセプト室（３）に直接続いているアクセプト捕集室（７）との間に、それぞれ少なくとも１つの狭隘部が位置しており、特に、全周にわたって延在する少なくとも１つの絞りギャップ（６，６´，９）が位置しており、該狭隘部の最も狭い流れ横断面が、スクリーンバスケット（１）の開口したスクリーン面積全体にほぼ相当する、有利には、スクリーンバスケット（１）の開口したスクリーン面積の５０〜２００％、特に５０〜１５０％に相当する、請求項１０から１９までのいずれか１項記載のスクリーン装置。
【発明の詳細な説明】
【技術分野】
【０００１】
本発明は、スクリーン装置によって繊維材料懸濁液を選別するための方法であって、前記スクリーン装置には、ケーシング内に装着された、スクリーン室を取り囲む少なくとも１つのスクリーンバスケットが設けられており、スクリーンバスケットには多数のスクリーン開口が設けられており、該スクリーン開口を、スクリーン室内に案内された繊維材料懸濁液の一部が通過し、アクセプトとしてアクセプト室に到り、これをスクリーン装置から導出し、繊維材料懸濁液のその他の部分をスクリーン開口で退け、少なくとも部分的にリジェクトとしてスクリーン装置から排出する形式のものに関する。
【０００２】
本発明はさらに、前記方法を実施するためのスクリーン装置であって、ケーシング内に装着された、スクリーン室を取り囲む少なくとも１つのスクリーンバスケットを有しており、該スクリーンバスケットには多数のスクリーン開口が設けられており、該スクリーン開口を、入口から入口室に到り次いでスクリーン室へと案内された繊維材料懸濁液の一部が通過し、半径方向さらに外側に位置するアクセプト室へと到ることができ、アクセプト室は、少なくとも１つのアクセプト出口と液圧的に接続されており、スクリーン開口で退けられた繊維材料懸濁液の部分のために少なくとも１つのリジェクト出口が設けられており、スクリーン室内には少なくとも１つのスクリーンクリーナが配置されており、該スクリーンクリーナは、クリーニング部材を備えた駆動される回転体を有している形式のものに関する。
【０００３】
このような形式の方法は、製紙用繊維懸濁液を準備する際に、湿式選別で繊維材料懸濁液を処理する際に行われる。このために適したスクリーン装置は、製紙・パルプ工場では主として「圧力選別機」と言われる。スクリーン装置は少なくとも１つのスクリーンバスケットを有しており、このスクリーンバスケットには、多数の開口が設けられている。懸濁液に含まれる繊維は、この開口を通過すべきものであって、不都合な固体成分は、開口部で退けられ、スクリーン装置から再び排出される。この場合、有利には、遠心力による運転が行われ、懸濁液は半径方向内側から外側へスクリーン開口を通過する。スクリーン開口は通常、円形の孔又はスリットである。ここで考察する形式の圧力選別機には、スクリーンクリーナが設けられており、このスクリーンクリーナはスクリーンバスケットに密接しながら運動するクリーニング部材を有している。これにより、公知の形式で、スクリーン開口の詰まりが防止される。スクリーンクリーナはロータとして形成されており、このロータは通常、スクリーンバスケットに対して同心的に支承されている。
【０００４】
圧力選別機の分離作用は、供給される製紙繊維懸濁液内に含まれる不純物の少なくとも一部がスクリーンを通過することができず、製紙繊維の大きさ、形状、柔軟性の理由から分離されることにより生じるものである。遠心分離領域で不純物の力が異なることを利用することで、不純物の密度に関する分離を付加的に行う圧力選別機も公知である。確かに、重量部分の大部分は、いずれにせよ通常使用されるスクリーン開口を通過せず、そこで退けられるが、スクリーンに接触すると、スクリーンが損傷又は摩耗する恐れがある。
【０００５】
このような形式の公知の方法は、特に、大量の懸濁液を処理しなければならない高価なスクリーン装置のため、またエネルギ消費のため、比較的コストがかかる。エネルギ消費は実際の繊維処理のために使用されるのではなく、主として、装置における液圧的な損失に起因する。
【０００６】
本発明の課題は、スクリーン装置の構成及び運転のためのコストを低減させ、方法の効率を改善することである。この場合、改善された効率とは、アクセプトの純度が高いこと及び／又はリジェクトにおける残留繊維による繊維損失が僅かであることを意味する。
【０００７】
この課題は、独立請求項１、６、７の特徴部に記載の構成により解決される。この場合、従属請求項には、方法の有利な態様が記載されている。請求項１０〜２０には、方法を実施するための有利なスクリーン装置が記載されている。
【０００８】
本発明による、湿式スクリーンプロセスのさらなる最適化が可能である。特に、１つのスクリーン装置により、繊維材料懸濁液を効果的に、利用可能な繊維と、不純ではない材料とに分けることができる。
【０００９】
特別な構成では、スクリーン装置内での物理的な特性がさらに均質にされる。この場合、不均一な物理的な特性とは特に、以下のようなものである。
【００１０】
１）軸方向で見てスクリーン面の種々異なる個所における不均一な物質の組成（粘稠性、汚染状態）、
２）周方向で見て不均一な流れ速度、
３）周方向で見て不均一な物質の組成（粘稠性、汚染状態）、
これにより効率が損なわれ、かつ／又は、エネルギ消費が不要に高まる。
【００１１】
１）について；スクリーン装置内に導入された繊維材料懸濁液は、スクリーンに沿った経路で常に水と繊維において濃縮され、これは、粘稠性と汚染程度とを増大させることを意味する。その結果、湿式スクリーンプロセスを開始する際に、比較的高い貫流量は、スクリーン開口において比較的高い貫流速度を伴うが、この速度はその後の経過では著しく減じられる。しかしながら、スクリーン開口における流れ速度が異なることにより、通常、分離特性（「分離限界」）も異なってくるので、ひいてはプロセス全体の効率が損なわれる。対策としてはリジェクトの一部が再循環され、即ち、スクリーン開口の手前の汚染程度や粘稠性がまだ比較的低いスクリーン領域に意図的に再循環される。
【００１２】
２）について；実用的な理由から、スクリーン装置では、管路を通して懸濁液の流出入が行われるが、管路は半径方向又は接線方向に取り付けられていて、周方向で見て非対称的な流れをスクリーン装置に発生させる。これまでこのようなことは、所与のものとして甘受されていた、又は、管路の接続部を別のように（より深く又はより高く）配置することができるように、装置の構成高さが拡大されていた。これに対して本発明は初めて、液圧的な手段により、周方向で見て均質な分配を行うことによりこの問題を解決している。このことは、懸濁液を流入管片からまずは環状室へと案内し、次いで狭隘部、特に全周（約３６０°）にわたって延びる絞りギャップを通し、ここで流れを加速することにより得られる。狭隘部は、有利には、狭隘部で流れ速度がほぼスクリーン通過速度と同様になるように設計されている。このことは、狭隘部の最も狭い流れ横断面が、スクリーンバスケットの開口した全スクリーン面積とほぼ同じである場合にほぼ得られる。従って、狭隘部の手前に位置する環状室には、流入管片がどこに配置されているかには関わらず、全周にわたって均一な圧力分布が生じる。同様の原理は有利には、アクセプト出口管片により非対称の問題が生じる、スクリーン領域からのアクセプト出口のためにも利用することができる。両狭隘部を組み合わせる、即ち入口にも出口にも狭隘部を設けると特に有利である。
【００１３】
即ち、流入及び／又は流出する懸濁液の対称的な均質な分配が得られ、この場合、懸濁液は周方向でスクリーンバスケットの周りを通って案内される必要はなく、このことは、スクリーン面積の最良の利用及びスクリーン特性のために重要である。即ち、比較的僅かな手間で、スクリーンコストだけではなく、スクリーン装置のサイズにも影響を与えるスクリーン面積の大きさを、効率を損なうことなく減じることができる。これはスクリーン装置のためのコストとエネルギ消費の節約となる。これに対し、分離効率の上昇が求められるならば、同じ大きさのスクリーン面積で分離効率を上げることができる。
【００１４】
３）について；２）について記載したのと同様に、流れが均一に周面に亘って分配されると、スクリーンに沿った経路で懸濁液の組成も同じに維持される。何故ならば、１）について記載した周囲にわたる汚染程度及び粘稠性の増加が同じであるからである。
【００１５】
本発明及び本発明の利点を図面につき説明する。
【図面の簡単な説明】
【００１６】
【図１】本発明による方法を実施するための選別装置を概略的に示した側方断面図である。
【図２】図１に示した選別装置の別の構成を示した図である。
【図３】選別装置内部のリジェクト処理のための有利な離解区域を示した図である。
【図４】異なる構成の離解区域を示した図である。
【図５】特別な構成のリジェクト室を示した平面図である。
【図６】リジェクト戻り流のための軸方向コンベヤを有した別の選別装置を示した図である。
【図７】下方に位置するリジェクト出口を有した別の構成の選別装置を示した図である。
【図８】リジェクト再循環を行わない別の実施例を示した図である。
【００１７】
図１には、相応のスクリーン装置により行う本発明による方法の典型的な実施例が示されている。スクリーン装置は、ケーシング内に円筒状のスクリーンバスケット１を有しており、このスクリーンバスケット１はスクリーン室５を取り囲んでいる。中心線は、使用位置で鉛直である。従って垂直型選別機とも呼ばれる。この方法は、垂直型のスクリーン装置によらなくても行うことができ、例えば水平型選別機でも行うことができる。選別すべき繊維材料懸濁液Ｓは、入口８を通って側方からケーシング内に導入され、従って非対称的に流入する。懸濁液Ｓはまず、環状の入口室４に到り、この入口室４から半径方向内側に向かって、絞りギャップ６を通ってスクリーン室５内に圧送される。このような狭隘部（絞りギャップ６）による効果については既に記載した。スクリーン室５から出てスクリーンバスケット１のスクリーン開口を通過したアクセプトは、アクセプト室３に到り、ここから絞りギャップ９を通ってアクセプト捕集室７へと案内され、このアクセプト捕集室７には側方でアクセプト出口１０が続いていて、これにより非対称的な流出流がアクセプト捕集室７から生じる。アクセプト出口１０の位置は、外周において任意に選択することができ、これにより例えば、具体的な設置状況に適合させるのが容易になる。
【００１８】
繊維材料懸濁液Ｓが著しく不純である場合には、スクリーンバスケット１に達する前に重量部分を分離すると有利である。比較的大きな重量部分は、入口室４の半径方向外側の下方部分に集まり、ここで重量部分出口１３を介して重量部分ゲート１４へと導出される。入口８が入口室４に接線方向で接続されていると有利である。
【００１９】
スクリーン装置における流れ特性を改善するための、特に流れ速度を均等にするためのその他の措置がここで実現されている。即ち、回転体１１とスクリーンバスケット１との間に位置するスクリーン室５の中空室の横断面は、懸濁液の入口と出口の間の軸方向に沿って小さくなり、アクセプト室３は同じ方向で大きくなると有利である。これにより、スクリーン室５からアクセプト室３への懸濁液の流れをスクリーンバスケット１に沿った経路において考慮することができる。これは、対応する壁が同方向に円錐形状を成すことにより得られる。即ち、例えばここで図示されているように互いに平行であって良い。このように形成されたスクリーン装置は全体として小さく、ひいては安価であって、液圧損失は減じられており、即ち、同じ技術成果を得るためには僅かなエネルギで済む。
【００２０】
スクリーンバスケット１で退けられる懸濁液の部分、特に不純物質は、スクリーンバスケット１の上方に位置するリジェクト室１５で集められ、ここで回転流を形成する。これら不純物質は、一部はリジェクト出口１６を介してリジェクトＲ´としてケーシング２から除去され、一部はリジェクト戻り流Ｒ´´として、上方で開かれた回転体１１の中空内室を通ってスクリーン室５内に再循環される。リジェクト室１５が上方に位置していることにより、リジェクトＲ´と共に空気と軽量部分（例えばポリスチレン）を抽出するのが容易になる。有利にはこれにより、ケーシングのカバーの空気抜き管路を省くことができる。ケーシングから導出されたリジェクトＲ´は、必要であれば、繊維損失を回避するために、再度選別される。
【００２１】
スクリーン室５では、回転体１１に固定されたクリーニング部材１２が、スクリーンバスケット１の内面に密着して動かされる。クリーニング部材１２は、クリーニング部材１２を取り巻く液体に対する相対的な運動により、押圧サージ及び吸込サージを発生させ、これによりスクリーン開口は開放状態に維持される。回転体１１は回転駆動される。回転体１１と、周囲に自由な流れが可能であるクリーニング部材１２とを有したここに図示した形の他に、例えば直接回転体に取り付けられたクリーニング部材を備えた別の回転体を使用することもできる。
【００２２】
リジェクト戻り流Ｒ´´により、不純物質と残留繊維とから成る混合物が再び、選別プロセスへと供給される。これにより残留繊維は、意図的にアクセプト内に到る可能性を得る。この場合、回転体１１における分配開口１８，１９の位置が、リジェクト戻り流Ｒ´´が、新たに供給される繊維材料懸濁液Ｓを処理するスクリーン領域に到るように選択されると有利である。このような形式の内部のリジェクト戻り流Ｒ´´の重要な利点は、全周にわたって均一に分配された流れを形成することができ、所望のように、スクリーンバスケット１の負荷が少ない部分へと案内することができることにある。
【００２３】
スクリーン室５は上方部分に中央管片１７を有しており、この中央管片１７から、例えば希釈水Ｗをリジェクト戻り流Ｒ´´に混合させることができる。希釈水流は、リジェクト戻り流Ｒ´´の軸方向搬送を強化することができ、中央管片１７が回転体１１に密着して、又は回転体１１内部で開口している場合には特に強化することができる。図２には、希釈水Ｗを供給する別の構成が示されていて、この構成では、ほぼ円筒状に成形されたリジェクト室１５に側方で取り付けられた、有利には接線方向で取り付けられた管片２２が設けられている。この希釈水Ｗはここで意図的に、排出すべきリジェクトＲ´と混合される。これにより、濃縮によりリジェクト出口１６に詰まりが生じるのを防止するという利点が得られる。
【００２４】
選択的には、必要であれば、スクリーン開口を通過せずにスクリーンバスケット１を流過した空気と軽量部分を除去するために中央管片１７を利用することもできる。有利には中央管片１７は、内部で、装置のカバーと同一平面となるように構成される。
【００２５】
リジェクトを再度選別する前にさらに離解する又は解繊するならば、即ち、繊維塊および繊維小片がさらに小さくされると、繊維がよりスクリーン開口を通過するようになり、リジェクト戻り流Ｒ´´からの残留繊維の回収が著しく改善される。このような離解ステップは図２に示されている。このために、スクリーン室５（ここではスクリーンバスケット１の上端部）とリジェクト室１５との間の一個所に、離解区域２０が設けられており、この離解区域２０で、回転体１１とケーシングとの間の相対運動により、繊維塊および繊維小片の破壊が行われ、即ち特に、スクリーンで退けられた繊維塊及び繊維小片の破壊が行われる。図３には、離解区域２０の有利な構成が詳しく示されている。ケーシングに結合されたステータリング２５と、回転体１１に結合されたロータリング２４とが示されており、これらは離解のために、周囲に亘って分配された凹部、特に階段状のポケット２６，２７を有している。これらのポケット２６，２７は、例えば１〜２０ｍｍの深さＴを有している。ロータリング２４とステータリング２５とは、所定の間隔を置いて互いに向かい合って位置しているので、これらの間には隙間が生じ、この隙間を、スクリーンバスケット１で退けられた材料が通過する。この場合、繊維塊と繊維小片とは少なくとも部分的に離解される。有利には、ロータリング２４とステータリング２５は分離可能であって、簡単に交換できるように、例えばねじによって固定されている。交換は、摩耗により必要な場合があり、又は、交換は、別の離解強度に調節するために行われる。このようなリジェクトの離解は、即ち主に、所望の繊維回収と所望されない不純物微細化との折り合いで行われる。繊維の損傷が生じない剪断力による処理が有利である。離解強度は、ポケットの数及び形状により調節することができる。図４には、離解区域の別の実施例が示されている。ロータリング２４´とステータリング２５´とはここでは、互いに噛み合うように配置されており、これにより、より大きな衝撃が繊維小片に伝えられる。ロータリング２４´及びステータリング２５´には、ポケット、溝、又は連続的な粗面加工表面を設けることができる。
【００２６】
繊維塊や繊維小片を離解するために、例えばロータリング及びステータリングに、間隔を置いて互いに通過し合う歯列を設けることもできる。
【００２７】
さらに図３には、スクリーンバスケット１に設けられたスクリーン開口２８が単なる例として円形の孔として図示されているが、これは例えば、０．１〜０．４ｍｍの、有利には０．１５〜０．２５ｍｍの幅を有したスリット、又は１〜２ｍｍの直径を有した円形孔であって良い。この選択は、素材に大きく依存している。
【００２８】
図２に示されているように、この方法では、別の搬送プロセスからのリジェクトＲ´´´をスクリーンプロセスに供給することもできる。このようなリジェクトＲ´´´は別のスクリーン装置（リジェクト出口又は脱気部）又はハイドロサイクロンからのものであって良い。従って、例えば、別の、有利には後続の圧力選別機のリジェクトが、直接的な管路を通って中央管片１７に流入することができる。この場合、このリジェクトＲ´´´のための貯蔵容器を省くことができる。リジェクトＲ´´´を、側方に取り付けられた管片２２から、ほぼ円筒状又はリング状に成形されたリジェクト室１５内に導入することもできる。リジェクトＲ´´´は次いで、回転流に巻き込まれて、リジェクト戻り流Ｒ´´に加えられて混合される。
【００２９】
リジェクト室１５は、図２の実施例では、図１の実施例よりも幾分高く形成されており、中央の押しのけ体２１を有している。これによりこの室内の回転流をより良好に保つことができ、特にデッドスペースや不要な渦流が回避される。
【００３０】
入口室４´は図２の実施例では、スクリーン室５の下側に配置することができる。このような実施例では、回転体１１の軸受ケーシング２３が、入口室４´の中心に位置しており、これによりデッドスペース及び不要な渦流が回避され、さらにはスペースが節約される。絞りギャップ６´は扁平なリングギャップであって良い。
【００３１】
図５は、本発明による選別装置の平面図で、リジェクト室１５を断面して概略的に示しており、全体を示すものではない。有利には、リジェクト室１５における回転流はバリヤ２９によって制動され、リジェクト出口１６へと案内される。これによりエネルギ消費も減じることができる。図５の断面図では、回転体１１に、離解区域２０のステータリング２５とポケット２６（一部しか図示していない）とが図示したように配置されていることが示されている。
【００３２】
リジェクト戻り流Ｒ´´の案内を改善するために、軸方向コンベヤを使用することができ、これは図６に実施例が示されている。この場合、回転体１１の中央にスクリュー螺旋３０が配置されている。このスクリュー螺旋とリジェクト流との間の相対運動により軸方向力が生じる。この場合、スクリュー螺旋３０は図示したように、一緒に回転することができる、又は不動にすることができ、この場合、例えばカバーに固定することができる。相対速度と、スクリュー螺旋３０のスクリュー方向が重要である。また、スクリューを有した軸方向コンベヤを取り付けることは、例えば別の搬送作用が所望される場合に、軸方向コンベヤを交換することができるので有利である。ロータの交換も容易になる。
【００３３】
ここまで図１〜図６につき記載した、下方から上方への流れ方向での使用例は、多くの場合、最良であるが、これに限定されるものではない。従って、図７には、スクリーンバスケット１の範囲における流れが上方から下方に向かって案内されるスクリーン装置が示されている。リジェクトＲ´は、下方に位置するリジェクト出口１６からケーシングを出て、リジェクト戻り流Ｒ´´は離解区域２０での処理後に回転体１１を通って上方へと上昇する。そして再びスクリーン室５へと到る。このような配置では、スクリーンバスケット１には上方から特に容易に接近することができ、このことは交換の際に有利である。
【００３４】
図８に示した実施例では、１つ又は２つの狭隘部により、周方向で流れを均質にする原理が、リジェクト再循環を行わない圧力選別機において使用されている。従って、このような措置を行う公知の圧力選別機は、上記理由から大きく改善される。スクリーン室５への流入流は、入口室４から扁平な絞りギャップ６´を介してスクリーン室５へと到る。アクセプトは、アクセプト室３から絞りギャップ９を通ってアクセプト捕集室７へと案内される。スクリーンバスケット１で退けられた部分は、リジェクト室１５へと到り、リジェクト出口１６から装置を出て行く。２つの狭隘部の組み合わせは有利であるが、場合によっては１つでも十分である。この実施例では、選別したい繊維材料懸濁液Ｓは上方へと供給され、リジェクトＲは下方へと案内される。しかしながら流れの案内は逆であっても良く、即ち、図１〜図６に示したようなものであっても良い。
【図１】
2013515868.tif 000003
【図２】
2013515868.tif 000004
【図３】
2013515868.tif 000005
【図４】
2013515868.tif 000006
【図５】
2013515868.tif 000007
【図６】
2013515868.tif 000008
【図７】
2013515868.tif 000009
【図８】
2013515868.tif 000010
【国際調査報告】
2013515868.tif 000011
2013515868.tif 000012
2013515868.tif 000013
2013515868.tif 000014
2013515868.tif 000015
2013515868.tif 000016
2013515868.tif 000017
2013515868.tif 000018
2013515868.tif 000019
2013515868.tif 000020